(57)【要約】【課題】事務効率良く情報を入力等することができる画面遷移装置及び画面遷移システムを提供すること。【解決手段】表示部１４に複数の画面情報を各別に表示することができる画面遷移装置２０であって、操作者に適合した複数の画面の表示順情報である画面表示遷移情報を複数個記憶する画面表示遷移情報記憶部３８と、操作者の属性情報に対応する画面表示基準情報を記憶する画面表示基準情報記憶部３９と、を有し、画面表示遷移情報は、画面表示基準情報に基づいて特定される画面遷移装置２０。【選択図】図３
2011175576.tif 000002
【特許請求の範囲】
【請求項１】
表示部に複数の画面情報を各別に表示することができる画面遷移装置であって、
操作者に適合した複数の画面の表示順情報である画面表示遷移情報を複数個記憶する画面表示遷移情報記憶部と、
前記操作者の属性情報に対応する画面表示基準情報を記憶する画面表示基準情報記憶部と、を有し、
前記画面表示遷移情報は、前記画面表示基準情報に基づいて特定される構成となっていることを特徴とする画面遷移装置。
【請求項２】
前記画面表示基準情報は、前記操作者の熟練程度の情報を含み、
前記属性情報は、前記操作者の熟練度に関する基礎情報であると共に、複数の個別属性情報を有することを特徴とする請求項１に記載の画面遷移装置。
【請求項３】
前記各個別属性情報は、それぞれ他と異なる熟練程度を考慮した特有の優先度情報を有し、前記属性情報が、複数の前記優先度情報を考慮した前記個別属性情報の総合情報であることを特徴とする請求項２に記載の画面遷移装置。
【請求項４】
前記画面表示遷移情報は、前記操作者が任意に画面情報の遷移を選択できる任意選択遷移情報を有し、
過去において前記任意選択遷移情報が実行され、前記操作者が実際に選択した画面遷移情報である操作者画面遷移履歴情報を記憶する操作者画面遷移履歴情報記憶部を有し、
前記画面表示基準情報に基づいて前記任意選択遷移情報が特定されたとき、前記操作者画面遷移履歴情報のうち、最も数が多い同一情報を前記表示部に表示することを特徴とする請求項１乃至請求項３のいずれかに記載の画面遷移装置。
【請求項５】
前記個別属性情報が、前記操作者の使用回数情報、配属歴情報、役職情報及び年齢情報であることを特徴とする請求項２乃至請求項４のいずれかに記載の画面遷移装置。
【請求項６】
操作者が操作する端末装置と、
前記端末装置と通信可能に接続されている画面遷移装置と、を有する画面遷移システムであって、
前記画面遷移装置は、前記端末装置の表示部に複数の画面情報を各別に表示することができ、
前記操作者に適合した複数の画面の表示順情報である画面表示遷移情報を複数個記憶する画面表示遷移情報記憶部と、
前記操作者の属性情報に対応する画面表示基準情報を記憶する画面表示基準情報記憶部と、を有し、
前記画面表示遷移情報は、前記画面表示基準情報に基づいて特定される構成となっていることを特徴とする画面遷移システム。
【発明の詳細な説明】
【技術分野】
【０００１】
本発明は、例えば、機器に医療データ等を入力するに際し、その機器の画面上に表示されるデータ入力用の画面表示を遷移させるための画面遷移装置及び画面遷移システムに関するものである。
【背景技術】
【０００２】
従来より、例えば、病院等の医療機関では、病棟等のナースセンター等に管理サーバと通信可能に接続されている端末装置等が配置されている。
そして、看護師等は、この端末を利用して各種データを入力等する構成となっている。
また、この端末に表示される画面は、各種のデータ入力が行い易いようにタブ等が表示されており、このタブ等をクリックすることで、所望のデータの入力画面が表示されるようになっている（例えば、特許文献１）。
【先行技術文献】
【特許文献】
【０００３】
【特許文献１】特開２００５−１１１０７号公報
【発明の概要】
【発明が解決しようとする課題】
【０００４】
ところで、病院等の看護師等が上記端末に各種データを入力するには、順番に複数の画面を遷移させて表示させる必要がある。また、この画面遷移の際には、タブ等の表示を頼りに次の入力画面を探すことになる。
したがって、新人の看護師等や熟練していない看護師等の場合は、タブ等の表示等では，次に入力すべき画面を適切に選択することができず、何度も適切でない画面を誤って表示させるため、事務効率等が低下するという問題があった。
また、近年、このタブ等の数が増える傾向になり例えば、１０種類以上ともなっている。
【０００５】
そこで、本発明は、事務効率良く情報を入力等することができる画面遷移装置及び画面遷移システムを提供することを目的とする。
【課題を解決するための手段】
【０００６】
上記課題は、本発明にあっては、表示部に複数の画面情報を各別に表示することができる画面遷移装置であって、操作者に適合した複数の画面の表示順情報である画面表示遷移情報を複数個記憶する画面表示遷移情報記憶部と、操作者の属性情報に対応する画面表示基準情報を記憶する画面表示基準情報記憶部と、を有し、前記画面表示遷移情報は、前記画面表示基準情報に基づいて特定される構成となっていることを特徴とする画面遷移装置により達成される。
【０００７】
前記構成によれば、操作者に適合した複数の画面の表示順情報である画面表示遷移情報を複数個記憶する画面表示遷移情報記憶部と、操作者の属性情報に対応する画面表示基準情報を記憶する画面表示基準情報記憶部と、を有し、画面表示遷移情報は、画面表示基準情報に基づいて特定される構成となっている。
このため、例えば、データの入力画面の表示順序等の画面表示遷移情報は、操作者の属性、例えば、操作に慣れていない初心者又は熟練している上級者等に応じて選択されるので、その操作者に合った適切な画面が、適切な順番で表示される。したがって、操作者のデータの入力事務等の効率が向上する。
【０００８】
好ましくは、前記画面表示基準情報は、操作者の熟練程度の情報を含み、前記属性情報は、操作者の熟練度に関する基礎情報であると共に、複数の個別属性情報を有することを特徴とする画面遷移装置である。
【０００９】
前記構成によれば、画面表示基準情報は、操作者の熟練程度の情報を含み、属性情報は、操作者の熟練度に関する基礎情報であると共に、複数の個別属性情報を有し、各個別属性情報は、それぞれ他と異なる特有の優先度情報を有し、属性情報が、複数の優先度情報を考慮した前記個別属性情報の総合情報となっている。
したがって、画面に表示されるデータの入力画面等の表示順序等が、当該操作者の熟練度に応じているので、操作者はその希望するデータ入力等を円滑に行うことができる。
【００１０】
また、属性情報は、複数の個別属性情報を有するので、当該操作者の熟練度を複数の指標から判断でき、その熟練度を正確に定めることができる。
【００１１】
好ましくは、前記各個別属性情報は、それぞれ他と異なる熟練程度を考慮した特有の優先度情報を有し、前記属性情報が、複数の前記優先度情報を考慮した前記個別属性情報の総合情報であることを特徴とする画面遷移装置である。
【００１２】
前記構成によれば、各個別属性情報は、それぞれ他と異なる熟練程度を考慮した特有の優先度情報を有し、属性情報が、複数の優先度情報を考慮した個別属性情報の総合情報である。したがって、当該操作者の熟練度をより正確に判断することができる。
【００１３】
好ましくは、前記画面表示遷移情報は、操作者が任意に画面情報の遷移を選択できる任意選択遷移情報を有し、過去において前記任意選択遷移情報が実行され、操作者が実際に選択した画面遷移情報である操作者画面遷移履歴情報を記憶する操作者画面遷移履歴情報記憶部を有し、前記画面表示基準情報に基づいて前記任意選択遷移情報が特定されたとき、前記操作者画面遷移履歴情報のうち、最も数が多い同一情報を前記表示部に表示することを特徴とする画面遷移装置である。
【００１４】
前記構成によれば、画面表示遷移情報は、操作者が任意に画面情報の遷移を選択できる任意選択遷移情報を有している。
したがって、操作者が熟練者の場合、敢えて画面の表示順を定めない情報である任意選択遷移情報を表示部に表示することで、操作者の操作性を向上させる構成となっている。
【００１５】
また、前記構成では、過去において任意選択遷移情報が実行され、操作者が実際に選択した画面遷移情報である操作者画面遷移履歴情報を記憶する操作者画面遷移履歴情報記憶部を有し、画面表示基準情報に基づいて任意選択遷移情報が特定されたとき、操作者画面遷移履歴情報のうち、最も数が多い同一情報を表示部に表示する。
したがって、操作者が、熟練者の場合、他の熟練者の操作履歴を参考にすることができ、より事務の効率を向上させることができる。
【００１６】
好ましくは、前記個別属性情報が、操作者の使用回数情報、配属歴情報、役職情報及び年齢情報であることを特徴とする画面遷移装置である。
【００１７】
上記課題は、本発明にあっては、操作者が操作する端末装置と、前記端末装置と通信可能に接続されている画面遷移装置と、を有する画面遷移システムであって、前記画面遷移装置は、前記端末装置の表示部に複数の画面情報を各別に表示することができ、操作者に適合した複数の画面の表示順情報である画面表示遷移情報を複数個記憶する画面表示遷移情報記憶部と、操作者の属性情報に対応する画面表示基準情報を記憶する画面表示基準情報記憶部と、を有し、前記画面表示遷移情報は、前記画面表示基準情報に基づいて特定される構成となっていることを特徴とする画面遷移システムにより達成される。
【発明の効果】
【００１８】
以上説明したように、本発明によれば、事務効率良く情報を入力等することができる画面遷移装置、画面遷移システム及び画面遷移方法を提供することができる。本発明によれば、特に病院においてどのような操作者であっても事務効率良く情報を入力等することができる画面遷移装置及び画面遷移システムを提供することができる。
【図面の簡単な説明】
【００１９】
【図１】本発明の実施の形態にかかる画面遷移システムを示す概略図である。
【図２】図１の端末装置の主な構成を示す概略ブロック図である。
【図３】図１の管理サーバの主な構成を示す概略ブロック図である。
【図４】画面遷移システムの主な動作等を示す概略フローチャートである。
【図５】画面遷移システムの主な動作等を示す他の概略フローチャートである。
【図６】画面遷移システムの主な動作等を示す他の概略フローチャートである。
【発明を実施するための形態】
【００２０】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２１】
図１は、本発明の実施の形態にかかる画面遷移システム１を示す概略図である。
図１に示すように、画面遷移システム１は、例えば、病院等に配置され、病棟等のナースセンター等に配置される端末装置１０を有し、この端末装置１０と通信可能に接続されている画面遷移装置である例えば、管理サーバ２０を有している。
そして、病院等に勤務する看護師等の医療従事者が、この端末装置１０を操作し、患者の生体情報の１つである、例えば、血糖値データや処方データを入力し、管理サーバ２０等に登録する構成となっている。
【００２２】
図１の端末装置１０及び管理サーバ２０は、コンピュータ等を有し情報を制御等している。
このコンピュータは、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、例えばバス等を介して配置されている。
このバスは、すべてのデバイスを接続する機能を有し、アドレスやデータパスを有する内部パスである。ＣＰＵは所定のプログラムの処理を行う他、バスに接続されたＲＯＭ等を制御している。ＲＯＭは、各種プログラムや各種情報等を格納している。ＲＡＭは、プログラム処理中のメモリの内容を対比したり、プログラムを実行するためのエリアとしての機能を有する。
【００２３】
図２は、図１の端末装置１０の主な構成を示す概略ブロック図であり、図３は、図１の管理サーバ２０の主な構成を示す概略ブロック図である。
図２に示すように、端末装置１０は、端末側制御部１１を有し、端末側通信装置１２、端末側入力装置１３及び表示部である例えば、端末側ディスプレイ１４等が、この端末側制御部１１と接続されている。
【００２４】
また、図３に示すように、管理サーバ２０は、サーバ側制御部２１を有し、サーバ側通信装置２２、サーバ側ディスプレイ２３、サーバ側入力装置２４、時刻を計時する計時装置２５等が、このサーバ側制御部２１と接続されている。
また、図３に示すように、管理サーバ２０は、各種プログラムや記憶部等も有し、これらもサーバ側制御部２１に接続されている。これら各種プログラム及び記憶部等については、後述する。
【００２５】
図４乃至図６は、画面遷移システム１の主な動作等を示す概略フローチャートである。
以下、図４乃至図６フローチャートに沿って画面遷移システム１の動作等を説明すると共に、図１乃至図３等の構成等も併せて説明する。
【００２６】
以下、病棟等に置かれている端末装置１０に看護師が患者の生体情報の１つである血糖値データを入力する場合を例に説明する。
先ず、血糖測定器により患者の血糖値データを取得した看護師は、図１の端末装置１０に用いて管理サーバ２０にアクセスする。
すると、図４のＳＴ１が実行される。すなわち、操作者であるユーザ（看護師）が既登録であるか否かの確認画面が図１及び図２の端末側ディスプレイ１４に表示される。
未登録場合は、ＳＴ２へ進む。ＳＴ２では、登録事項の入力及び登録処理を行う。
【００２７】
具体的には、図３のユーザ登録処理部（プログラム）２６が動作し、端末側ディスプレイ１４に、操作者（ユーザ）の氏名、ユーザＩＤの入力を求める他、現在所属している部署名とその配属年月日、役職名及び生年月日の入力も求める画面を表示する。
この画面に対し、操作者が図１等の端末側入力装置１３を用いて、所定事項を入力すると、これらの事項が、図３のユーザテーブル格納部２７にユーザテーブルとして登録される。
【００２８】
一方、ＳＴＴ１で既にユーザ登録されていると判断された場合は、ＳＴ３へ進む。ＳＴ３では、端末側ディスプレイ１４に、操作者のユーザＩＤの入力を求める画面が表示され、操作者が入力する。
すると、図３のユーザ登録処理部（プログラム）２６が動作して、図３のユーザテーブル格納部２７を参照して、当該操作者のユーザテーブルの「ユーザＩＤ」と入力された「ユーザＩＤ」とを比較して、同一か否かを判断する。
【００２９】
ＳＴ３で同一と判断された場合は、ＳＴ４へ進む。ＳＴ４では、図３のユーザテーブルに登録されている当該操作者の登録事項が端末側ディスプレイ１４に表示され、登録事項に変更があるか否かの確認をもとめる。
なお、「ユーザＩＤ」が一致しない場合は、再入力等を求める。
【００３０】
次いで、ＳＴ５へ進み、登録事項の変更、例えば、配属部署の変更や役職名の変更等があった場合は、ＳＴ６で、変更処理を行う。
すなわち、図３のユーザテーブル格納部２７内のユーザテーブルの所定事項を変更する。
【００３１】
ＳＴ２又はＳＴ６で、操作者の認証処理が終了するため、その後、ＳＴ７へ進む。ＳＴ７では、操作者が入力処理を行う処理ルーティンの種類が、操作者の端末側ディスプレイ１４に表示される。
具体的には、図３の処理ルーティンデータ格納部２８を参照し、例えば、血糖理データ入力処理や処方データ入力処理、任意入力処理等のメニューが表示される。
【００３２】
次いで、ＳＴ８で、操作者が処理ルーティンの種類を選択したか否かが判断され、選択されると、ＳＴ９へ進む。本実施の形態では、ここで操作者が「血糖値データ入力処理」を選択した場合を例に説明する。
なお、ＳＴ８で、任意入力、すなわち、操作者の自由な入力を選択した場合は、操作者の端末側ディスプレイ１４に、各種入力画面がタブ付きで示される。したがって、操作者がタブをクリック等することで、自由に入力画面を選択できることになる。
【００３３】
一方、ＳＴ８で、血糖値データ入力処理や処方データ入力処理等の具体的な処理を選択した場合は、ＳＴ９以下へ進む。本実施の形態では、「血糖値データ入力処理」が選択されるので、ＳＴ９へ進む。
【００３４】
ＳＴ９以下では、「血糖値データ入力処理」における操作者の熟練度を判断し、その熟練度に応じた、入力画面を順に表示させることになる。例えば、操作者の熟練度が低い場合は、基本的な入力画面を、その入力順に表示する。また、操作者の熟練度が高い場合は血糖値データ入力処理に必要な画面をタブ付きで同時に表示する。これらについて、以下、詳細に説明する。
【００３５】
先ず、ＳＴ９では、図３の操作レベル判断部（プログラム）２９が動作し、図３のユーザテーブル格納部２７に格納されている当該操作者のユーザテーブルを参照し、現在の使用回数データを取得し、これに「１」を足し、最新の使用回数データとして、ユーテーブルを更新する。
そして、図３の使用回数テーブル格納部３０を参照する。使用回数テーブルには、特有の優先度情報である例えば、使用回数テーブル優先度係数が示されていると共に、この使用回数テーブル優先度係数とユーザテーブルの使用回数に基づいて使用回数基準操作ポイントを求める式等が示されている。
また、この使用回数テーブル優先度係数は、後述する他の優先度係数と差を設け異なった設定となっている。これらについては後述する。
【００３６】
したがって、操作レベル判断部（プログラム）２９は、操作者の現在の使用回数データと、使用回数テーブル優先度係数に基づいて（例えば、これらを乗ずる等）、個別属性情報である例えば、当該使用回数基準操作ポイントデータを求める。    
このようにして求めた当該使用回数基準操作ポイントデータを、図３の当該使用回数基準操作ポイントデータ記憶部３１に記憶する。
【００３７】
次いで、ＳＴ１０へ進む。ＳＴ１０では、図３の操作レベル判断部（プログラム）２９が動作し、図３のユーザテーブル格納部２７に格納されている当該操作者のユーザテーブルを参照し、配属歴データ、具体的には、現在部署に配属された年月日を取得する。
そして、図３の計時装置２５の年月日データと比較演算し、ユーザテーブルの配属期間のデータを更新する。
【００３８】
次いで、ＳＴ１１へ進む。ＳＴ１１では、図３の配属歴テーブル格納部３２を参照する。配属歴テーブルでは、特有の優先度情報である例えば、配属歴テーブル優先度係数が記憶されていると共に、この配属歴テーブル優先度係数とユーザテーブルの配属期間に基づいて配属歴基準操作ポイントを求める式等が記憶されている。
【００３９】
したがって、操作レベル判断部（プログラム）２９は、操作者の現在の配属期間データと、配属歴テーブル優先度係数に基づいて（例えば、これらを乗ずる等）、個別属性情報である例えば、当該配属歴基準操作ポイントデータを求める。    
このようにして求めた当該配属歴基準操作ポイントデータを、図３の当該配属歴基準操作ポイントデータ記憶部３３に記憶する。
【００４０】
次いで、ＳＴ１２へ進む。ＳＴ１２では、図３の操作レベル判断部（プログラム）２９が動作し、図３のユーザテーブル格納部２７に格納されている当該ユーザテーブルを参照し、役職データ（例えば、役職が数値に換算されている数値データ）を取得する。
そして、図３の役職テーブル格納部３４を参照する。役職テーブルでは、特有の優先度情報である例えば、役職テーブル優先度係数が示されていると共に、この役職テーブル優先度係数とユーザテーブルの役職データに基づいて役職基準操作ポイントを求める式等が示されている。
【００４１】
したがって、操作レベル判断部（プログラム）２９は、操作者の現在の役職データと、役職テーブル優先度係数に基づいて（例えば、これらを乗ずる等）、個別属性情報である例えば、当該役職基準操作ポイントデータを求める。    
このようにして求めた当該役職基準操作ポイントデータを、図３の当該役職基準操作ポイントデータ記憶部３５に記憶する。
【００４２】
次いで、ＳＴ１３へ進む。ＳＴ１３では、図３の操作レベル判断部（プログラム）２９が動作し、図３のユーザテーブル格納部２７に格納されている当該操作者のユーザテーブルを参照し、年齢データ、具体的には、生年月日を取得する。
そして、図３の計時装置２５の年月日データと比較演算し、ユーザテーブルの年齢のデータを更新する。
【００４３】
次いで、ＳＴ１４へ進む。ＳＴ１４では、図３の年齢テーブル格納部３６を参照する。年齢テーブルでは、特有の優先度情報である例えば、年齢テーブル優先度係数が記憶されていると共に、この年齢テーブル優先度係数とユーザテーブルの年齢に基づいて年齢基準操作ポイントを求める式等が記憶されている。
【００４４】
したがって、操作レベル判断部（プログラム）２９は、操作者の現在の年齢データと、年齢テーブル優先度係数に基づいて（例えば、これらを乗ずる等）、個別属性情報である例えば、当該年齢基準操作ポイントデータを求める。    
このようにして求めた当該年齢基準操作ポイントデータを、図３の当該年齢基準操作ポイントデータ記憶部３７に記憶する。
【００４５】
なお、図３の使用回数テーブル格納部３０、配属歴テーブル格納部３２、役職テーブル格納部３４及び年齢テーブル格納部３６に格納されている、それぞれ使用回数テーブル優先度係数、配属歴テーブル優先度係数、役職テーブル優先度係数及び年齢テーブル優先度係数は、その数値が異なっている。
すなわち、操作者の血糖値データ入力処理の熟練度を計る上で重み付けがなされている。具体的には、使用回数テーブル優先度係数の数値が最も高く（重く）、次に、配属歴テーブル優先度係数、次に、役職テーブル優先度係数と続き、年齢テーブル優先度係数が最も低く設定されている。
これにより、後述するように、図３の当該使用回数基準操作ポイントデータ記憶部３１、当該配属歴基準操作ポイントデータ記憶部３３、当該役職基準操作ポイントデータ記憶部３５及び当該年齢基準操作ポイントデータ記憶部３７に、それぞれ記憶されているデータを総合して、操作者の熟練度を測るデータを作成する際に、そのデータがより正確なデータとなる。
【００４６】
ところで、ＳＴ１４が終了すると、ＳＴ１５へ進む。ＳＴ１５では、ＳＴ９乃至ＳＴ１４で取得し、図３の当該使用回数基準操作ポイントデータ記憶部３１、当該配属歴基準操作ポイントデータ記憶部３３、当該役職基準操作ポイントデータ記憶部３５及び当該年齢基準操作ポイントデータ記憶部３７に、それぞれ記憶されている当該使用回数基準操作ポイントデータ、当該配属歴基準操作ポイントデータ、当該役職基準操作ポイントデータ及び当該年齢基準操作ポイントデータを総合して、画面表示基準情報である例えば、操作総合ポイントデータを求める。
【００４７】
具体的には、図３の操作レベルテーブル記憶部３８を参照する。この操作レベルテーブル記憶部３８には、当該使用回数基準操作ポイントデータ等を総合する式（例えば、各ポイントデータの加算等）が示されている。
したがって、操作レベル判断部（プログラム）２９は、この総合する式等に当該使用回数基準操作ポイントデータ等を入力して当該操作総合ポイントデータを求め、図３の画面表示基準情報である例えば、当該操作総合ポイントデータ記憶部３９に記憶する。
【００４８】
このようにして求められた当該操作総合ポイントデータは、操作者が血糖値データ入力処理を行う熟練度を勘案したポイントデータとなっている。特に、このポイントデータは、操作者の属性情報を使用回数、配属歴、役職、年齢等から重み付けをして判断するため、正確な属性情報となっており、この正確な属性情報に基づく、当該操作総合ポイントデータは、個々の操作者の特性を反映する精度の高いデータとなっている。
【００４９】
次いで、ＳＴ１６へ進む。ＳＴ１６では、操作レベル判断部（プログラム）２９が動作し、図３の操作レベルテーブル記憶部３８を参照する。
この操作レベルテーブル記憶部３８には、図３の当該操作総合ポイントデータ記憶部３９に記憶されている当該操作総合ポイントデータに対応する画面表示遷移情報である例えば、操作レベル毎の画面遷移データが示されている。
【００５０】
この画面遷移データは、例えば、血糖値データの入力に慣れていない初級者の場合は、例えば、基本入力画面（Ａ→Ｂ→Ｃ）のみを端末側ディスプレイ１４に順に表示する構成となっている。
また、初級より熟練している中級者の場合は、基本入力画面（Ａ、Ｂ、Ｃ）と応用入力画面（Ａａ、Ｂａ、Ｃａ）を含め、例えば、Ａ→Ａａ→Ｂ→Ｂａ→Ｃ→Ｃａと画面を遷移させる構成となっている。
そして、操作者が熟練した上級者の場合は、さらなる応用画面（Ａｂ、Ｂｂ、Ｃｂ）を含めた血糖値データ入力に必要が画面を全て、タブ付きで同時に端末側ディスプレイ１４に表示させ、これらを操作者の任意の順番に選択（遷移）することができる構成となっている（任意選択遷移情報の一例）。
【００５１】
すなわち、画面遷移データは操作者の操作レベル（初級、中級、上級等）に従って、そのレベルに最適な入力画面を順に表示等させる構成となっているので、操作者の熟練度に応じて適切な画面が端末側ディスプレイ１４に表示される。このため、操作者の事務効率が著しく向上することになる。
【００５２】
また、この操作レベルのランク（初級、中級、上級）は、上述の操作総合ポイントデータの数値によって区分している。この操作総合ポイントデータは、上述のように、操作者の属性である使用回数、配属歴、役職、年齢等のデータを重み付けして求めたデータである。したがって、この操作レベルの判定は、極めて精度の高い判断となる。
【００５３】
ところで、ＳＴ１６では、操作レベル判断部（プログラム）２９が、図３の当該操作総合ポイントデータ記憶部３９内の当該操作総合ポイントデータを、図３の操作レベルテーブル記憶部３８内の操作レベル毎の画面遷移データと比較し当てはめることで、当該操作総合ポイントデータに最適な操作レベル（初級、中級、上級等）を特定し、当該画面遷移データとすることができる。
そして、このように特定した当該画面遷移データに関する情報を図３の当該画面遷移データ記憶部４０に記憶する。
【００５４】
次いで、操作者の端末側ディスプレイ１４に、図３の当該画面遷移データ等に基づき、画面を表示し，遷移させる。
これにより、操作者は上述のように、最適な画面を見ながら血糖値データを入力すれば良いので、極めて事務効率が向上することになる。
【００５５】
次に、ＳＴ１７へ進む。ＳＴ１７では、図３の当該画面遷移データ記憶部４０に記憶された当該画面遷移データが上述の上級ランクであるか否かが判断される。
上級ランクでない場合は、そのまま終了し、上級ランクの場合は、ＳＴ１８へ進む。
ＳＴ１８では、操作レベル判断部（プログラム）２９が、操作者画面遷移情報記憶部である例えば、操作者画面選択履歴データベース４１を参照する。
この操作者画面選択履歴データベース４１には、過去において自己及び他の操作者が「上級ランク」で画面を選択した順番等（操作者画面遷移履歴情報の一例）が記憶されている。
すなわち、上述のように、図３の操作レベルテーブル記憶部３８の上級ランクは、画面の遷移が指定されず、操作者に任されているため、それぞれ操作者によって異なる画面遷移を認める構成となっている。
したがって、操作者画面選択履歴データベース４１は、このような様々な操作者が選択した画面遷移データを記憶し、その選択した画面遷移データを分類処理（同一データの数や異なるデータの数等の分類等）している。
【００５６】
そして、ＳＴ１８では、操作者画面選択履歴データベース４１を参照し、血糖値データ入力処理において、最も数が多い、画面遷移の順番データを、図３の画面遷移データ共に端末側ディスプレイ１４に表示する。
したがって、上級ランクの熟練度が高い操作者に対して、他の上級者の画面遷移例を示すことができるので、より効率的な血糖値データの入力が可能となる。
【００５７】
次いで、ＳＴ１９に進む。ＳＴ１９では、操作者による画面遷移（選択）動作が終了したか否かが判断される。
【００５８】
ＳＴ１９で、動作が終了した場合は、ＳＴ２０へ進む。ＳＴ２０では、当該操作者の選択した画面の遷移履歴が図３の操作者画面選択履歴データベース４１に登録される。
これにより操作者画面選択履歴データベース４１の利用価値がさらに向上することになる。
【００５９】
本発明は、上述の各実施の形態に限定されない。
【符号の説明】
【００６０】
１・・・画面遷移システム、１０・・・端末装置、１１・・・端末側制御部、１２・・・端末側通信装置、１３・・・端末側入力装置、１４・・・端末側ディスプレイ、２０・・・管理サーバ、２１・・・サーバ側制御部、２２・・・サーバ側通信装置、２３・・・サーバ側ディスプレイ、２４・・・サーバ側入力装置、２５・・・計時装置、２６・・・ユーザ登録処理部（プログラム）、２７・・・ユーザテーブル格納部、２８・・・処理ルーティンデータ格納部、２９・・・操作レベル判断部（プログラム）、３０・・・使用回数テーブル格納部、３１・・・当該使用回数基準操作ポイントデータ記憶部、３２・・・配属歴テーブル格納部、３３・・・当該配属歴基準操作ポイントデータ記憶部、３４・・・役職テーブル格納部、３５・・・当該役職基準操作ポイントデータ記憶部、３６・・・年齢テーブル格納部、３７・・・当該年齢基準操作ポイントデータ記憶部、３８・・・操作レベルテーブル記憶部、３９・・・当該操作総合ポイントデータ記憶部、４０・・・当該画面遷移データ記憶部、４１・・・操作者画面選択履歴データベース
【図１】
2011175576.tif 000003
【図２】
2011175576.tif 000004
【図３】
2011175576.tif 000005
【図４】
2011175576.tif 000006
【図５】
2011175576.tif 000007
【図６】
2011175576.tif 000008